(57)【要約】【課題】  マイナスドライバー等の専用工具を持ち合わせていなくても、臨機応変に設置やメンテナンス作業を実施し得る事務機器を提供する。【解決手段】  マイナスドライバーの捻回操作によって回動可能な調整部材１７を備えた事務機器１であって、機器筐体２の外側部には、金属製の蓋板１８が取外自在に覆設されたメンテナンス用の窓部２ａが開設され、上記蓋板１８の側辺部には、上記窓部の開口縁部に係止する係止片１８ａを兼ね、且つその先側をして前記調整部材を捻回操作し得る作用片１８ｄが形成されていることを特徴とする。【選択図】        図１
2005265948.tif 000002
【特許請求の範囲】
【請求項１】
特定形状の作用片を有する専用工具の操作によって調整可能な調整部材を備えた事務機器であって、
機器筐体の外側部には、金属製の蓋板が取外自在に覆設されたメンテナンス用の窓部が開設され、上記蓋板の側辺部には、上記窓部の開口縁部に係止する係止片を兼ね、且つその先側をして前記調整部材を調整操作し得る作用片が形成されていることを特徴とする事務機器。
【請求項２】
上記専用工具がマイナスドライバーであって、上記調整部材がこのマイナスドライバーの捻回操作によって回動可能とされ、且つ上記作用片が捻回操作によってこの調整部材を回動し得るものであることを特徴とする請求項１記載の事務機器。
【請求項３】
画像読取走査装置を含むことを特徴とする請求項１又は２に記載の事務機器。
【請求項４】
前記調整部材が、前記画像読取走査装置における走査キャリッジを所定位置にロックさせるためのロック部材であり、該ロック部材は、その回動操作によりロック位置及びアンロック位置に変位し得るものであることを特徴とする請求項３に記載の事務機器。
【発明の詳細な説明】
【技術分野】
【０００１】
本発明は、ファクシミリ装置、複写機、プリンタ（これらの複合機も含む）等の画像形成装置或いはその他の事務機器において、汎用のプラスドライバー以外の工具の操作によってのみ調整可能な調整部材を備えた機器に関する。
【背景技術】
【０００２】
画像読取走査装置、特にフラットベット式スキャナ（以下、ＦＢＳと言う）を備えた画像形成装置においては、その輸送時やメンテナンス時に、走査キャリッジを所定位置に固定する必要がある。特許文献１には、２つの走査キャリッジ（フルレートキャリッジ、ハーフレートキャリッジ）を固定用ピンにより一括して装置の筐体に固定するようにした画像読取装置が開示されている。
【０００３】
上記のような固定用ピンによる走査キャリッジの固定は、ＦＢＳの底板の下方に手を入れ、底板に形成された挿通孔に固定用ピンを挿通させ、更に、両走査キャリッジに形成された挿通孔にも固定用ピンを順次挿通させることによりなされるが、この作業は作業性が悪く、また、熟練を要するものであった。しかも、通常の使用時には固定用ピンは不要であるので、取外すことになるが、紛失の懸念がある為保管用の収納部を別途設ける必要があった。
【特許文献１】特開２００１−１３３９０５号公報
【発明の開示】
【発明が解決しようとする課題】
【０００４】
上記問題点を解消するために、ＦＢＳ筐体内に走査キャリッジを所定位置にロック固定する為のロック部材を設置し、このロック部材をＦＢＳ筐体の外側からドライバー等によりロック・アンロック操作可能とすることも考えられている。この場合、ロック部材のロック・アンロック操作を一般ユーザーでは実施し難いように、プラスドライバーに比べ汎用性の低いマイナスドライバー或いは他の専用工具でのみしかロック・アンロック操作し得ないようにしておくことが望まれる。しかし、装置の設置時等において、作業者がこのような工具を持ち合わせていない場合には、忽ち設置作業が滞ってしまうことにもなる。特に、設置作業は、サービスマンではなく、代行業者が行うことが多い為、このような事態が間々発生することがある。また、上記のようなロック部材に限らず、一般ユーザーが触れることが好ましくないような初期設定用等の各種調整部材を備えた事務機器においても、このような解決すべき課題を内包していた。
【０００５】
本発明は、上記のような実情に鑑みなされたものであり、マイナスドライバー或いは他の専用工具を持ち合わせていなくても、臨機応変に設置やメンテナンス作業を実施し得る事務機器を提供するものである。
【課題を解決するための手段】
【０００６】
本発明の事務機器は、特定形状の作用片を有する専用工具の操作によって調整可能な調整部材を備えた事務機器であって、機器筐体の外側部には、金属製の蓋板が取外自在に覆設されたメンテナンス用の窓部が開設され、上記蓋板の側辺部には、上記窓部の開口縁部に係止する係止片を兼ね、且つその先側をして前記調整部材を調整操作し得る作用片が形成されていることを特徴とする。上記専用工具は、請求項２の発明のように、マイナスドライバーであって、上記調整部材がこのマイナスドライバーの捻回操作によって回動可能とされ、且つ上記作用片がこの調整部材を捻回操作によって回動し得るものであるとすることができる。
【０００７】
本発明は、請求項３の発明のように、画像読取走査装置を含む事務機器に望ましく採用される。この場合、請求項４の発明のように、前記調整部材を、前記画像読取走査装置における走査キャリッジを所定位置にロックさせるためのロック部材とし、前記ロック部材は、その回動操作によりロック位置、およびアンロック位置に変位し得るものとすることができる。
【発明の効果】
【０００８】
本発明の事務機器によれば、機器の設置時等において、調整部材の調整操作が必要とされる際に、作業者が汎用のプラスドライバーの他に、工具を持ち合わせていない場合であっても、前記窓部に覆設された蓋板を持っているドライバーにより取外して、前記蓋板を工具として用いることができる。そして、蓋板の係止片を兼ねた作用片を調整部材に作用させ、調整部材に対する所定の調整操作を行うことができる。従って、機器の設置作業等が滞ることなく実施される。しかも、前記蓋板は上記窓部に覆設されており、作用片は該窓部の開口縁部に係止するものであるから、通常は人目に触れず、これが工具としての機能を奏するものとは認識され難い。従って、一般ユーザーがこの蓋板を用いて調整部材の調整操作をすることもなく、機器の保全に支障を来たすこともない。
【発明を実施するための最良の形態】
【０００９】
以下に本発明の最良の実施の形態について図面を参照して説明する。図１は、ファクシミリと複写の両機能を備えた所謂複合機（プリンタ機能も含む）タイプの画像形成装置を斜め後方から見た概略的斜視図、及び要部の拡大図、図２はＦＢＳの縦断面図及び要部の拡大図、図３はロック部材の動作機構を説明する図である。
【実施例】
【００１０】
図１に示す画像形成装置（事務機器）１は、箱型筐体（機器筐体）２内に電子写真方式等による記録部（不図示）を内蔵し、その上部にＦＢＳ部３を搭載してなるものであり、このＦＢＳ部３上には前後に開閉する原稿押圧板４が設置されている。ＦＢＳ部３の上面にはプラテンガラス５が載設され、このプラテンガラス５上に置かれた原稿の画情報が、プラテンガラス５の下面に沿って往復動する画像読取走査装置８（図３参照）によって読取られるようになされている。
【００１１】
また、原稿押圧板４の一側部上には自動原稿送り装置部（以下、ＡＤＦ部と言う）６が形成され、このＡＤＦ部６によって連続搬送される原稿の画情報が、ＦＢＳ部３の一側部に配置されたスリットガラス７（図３参照）上を通過する際、その下に静置された上記画像読取走査装置８によって逐次読取られる。読取られた画情報は、複写操作の場合は上記記録部で記録紙に印字記録され、ファクシミリ操作の場合は不図示のファクシミリ機構により外部端末に送信される。
【００１２】
ＦＢＳ部３について図２を参照して更に詳細に説明する。箱型のＦＢＳ筐体３０の上面には、プラテンガラス５が設置され、一側部にはＡＤＦ原稿読取用のスリットガラス７が配置されている。また、ＦＢＳ筐体３０内には、画像読取走査装置８が配設されている。画像読取走査装置８は、フルレートキャリッジ（走査キャリッジ）９と、ハーフレートキャリッジ（走査キャリッジ）１０と、集光レンズユニット１１と、ＣＣＤ１２とよりなる。フルレートキャリッジ９は、キャリッジフレーム９ａに、蛍光灯若しくは冷陰極管からなる光源１３と、第１ミラー１４とを搭載してなり、駆動ベルト９ｂに連結され、且つ不図示のガイドレールに摺動可能に支持されて、ＦＢＳ筐体３０内をその略全範囲に亘り左右に往復動する。ハーフレートキャリッジ１０は、キャリッジフレーム１０ａに、互いに９０°の角度をなす第２、第３ミラー１５、１６を搭載してなり、上記フルレートキャリッジ用駆動ベルト９ｂの１／２の速度で駆動する駆動ベルト１０ｂに連結され、且つ不図示のガイドレールに摺動可能に支持されて、ＦＢＳ筐体３０内をその略左半部の範囲に亘り左右に往復動する。
【００１３】
上記駆動ベルト（歯付ベルトも可）９ｂ、１０ｂは、同軸的に軸装され且つ径が２：１の駆動プーリー９ｃ、１０ｃに夫々掛け渡され、同一のモータ（不図示）により駆動される。従って、これら駆動ベルト９ｂ、１０ｂに連結されたフルレートキャリッジ９及びハーフレートキャリッジ１０は、モータの作動により、２：１の速度比で、互いに追従するよう往復動する。集光レンズユニット１１及びＣＣＤ１２は、ＦＢＳ筐体３０の底板３０ａに固定状態とされており、プラテンガラス５上に置かれた原稿Ｄの読取の際は、ＦＢＳ筐体３０内の左側部に待機するフルレートキャリッジ９及びハーフレートキャリッジ１０の右方への移動に伴い、光源１３から原稿Ｄに照射された反射光が、第１〜第３ミラー１４、１５、１６で反射を繰り返し、集光レンズユニット１１を経て、ＣＣＤ１２に逐次入光し結像される。ＣＣＤ１２では、結像した光情報がデジタルの電気信号に変換され出力される。
【００１４】
また、ＡＤＦ原稿Ｄ１の読取の際は、フルレートキャリッジ９が、スリットガラス７の直下の位置に移動待機して静止し（ハーフレートキャリッジ１０も所定の待機位置に静止する）、前記ＡＤＦ部６によってスリットガラス７上を連続搬送される原稿Ｄ１の画像が同様に読み取られる。このような読取走査の間、原稿Ｄ或いはＤ１で反射した光は光路Ｌを辿ってＣＣＤ１２に入光するが、フルレートキャリッジ９及びハーフレートキャリッジ１０の移動速度比が２：１とされているから、所謂物象間距離は常に一定となり、これにより読取画像品質が一定に保たれる。
【００１５】
次に、上記フルレートキャリッジ９及びハーフレートキャリッジ１０を所定位置に固定する為のロック部材（調整部材）１７について説明する。即ち、該ロック部材１７はＦＢＳ筐体３０内の左側壁に添うようその底板３０ａに設置されており、回動軸部１７ａと、該回動軸部１７ａの軸心に直交するよう固設された回動アーム１７ｂと、該回動アーム１７ｂの先端部（回動端）に形成された２個の掛止フック部１７ｃ、１７ｄとよりなる。回動軸部１７ａは、フルレートキャリッジ９及びハーフレートキャリッジ１０の移動方向と平行となるよう横向き状態で、スナップ式取付具１７ｅにより、底板３０ａ上にその軸心回りに回動可能に取付けられている。回動軸部１７ａの一端には上記のように回動アーム１７ｂが固設され、一方他端側の円柱部１７ｆはＦＢＳ筐体３０の側壁に開設された保持穴３０ｂに回動可能に挿入保持され、その端面１７ｇがＦＢＳ筐体３０の側壁外に臨むようになされている。
【００１６】
上記端面１７ｇには直状の凹溝１７ｈが掘設され、この凹溝１７ｈにＦＢＳ筐体３０の外側から、マイナスドライバーの先端部をあてがい、ドライバーを捻回操作することにより、回動軸部１７ａをその軸心回りに回動させることが可能とされる。前記フルレートキャリッジ９及びハーフレートキャリッジ１０のキャリッジフレーム９ａ及びキャリッジフレーム１０ａには、掛止用孔９ｄ、１０ｄが夫々開設されており、フルレートキャリッジ９及びハーフレートキャリッジ１０が待機位置にあるとき、両掛止用孔９ｄ、１０ｄが上下に重なり合うように設定されている。
【００１７】
図３は、回動軸部１７ａの軸心方向から見た図であり、回動アーム１７ｂは、通常の使用状態では、破線で示すように倒伏した状態とされる。そして、輸送やメンテナンス時において、フルレートキャリッジ９及びハーフレートキャリッジ１０を固定する必要がある場合、両キャリッジ９、１０を所定の待機位置に移動させ（この移動はモータの電気的制御或いは手動でなされる）、前記掛止用孔９ｄ、１０ｄが上下に重なり合う位置で静止させる。この状態で、ＦＢＳ筐体３０の外側から、マイナスドライバーの先端部を凹溝１７ｈにあてがい、ドライバーを反時計方向に捻回操作し、回動軸部１７ａの軸回転をして回動アーム１７ｂを反時計方向に回転させて起立させる。
【００１８】
この起立に伴い、回動アーム１７ｂの先端部に形成された２つの掛止フック部１７ｃ、１７ｄが、掛止用孔９ｄ、１０ｄの開口縁部に夫々掛止される。これにより、フルレートキャリッジ９及びハーフレートキャリッジ１０が、回動アーム１７ｂにより一括して拘束された状態でロック固定される。尚、この拘束状態が容易に解除されないよう、回動軸部１７ａとＦＢＳ筐体３０との間にフリクション嵌合する手段（例えば、ダボ及びダボ孔等）を設けることが望ましい。アンロック操作は、ドライバーを上記とは逆向きに捻回操作することによりなされることは言うまでもない。
【００１９】
このようにロック部材１７のロック・アンロック操作は、ＦＢＳ筐体３０の外側からなされるから、その操作性がよく且つ簡易である。また、ロック部材１７はＦＢＳ筐体３０内に設置されているから紛失の懸念がなく、その保管スペースを特別に確保する必要がない。しかも、汎用性の少ないマイナスドライバーの内の特定のサイズのもの、または、同様な形状の工具以外では、その操作ができないから、一般ユーザーの誤操作によるトラブル発生を未然に防止することができる。
【００２０】
そして、上記のようにロック部材１７のロック・アンロック操作を行う際に、作業者がマイナスドライバーを持ち合わせていない場合、忽ち、その作業が滞ってしまうことになるが、本発明においては、このような事態においても上記作業を続行することができる。即ち、図１に示すように、箱型筐体２の背面には、各種制御プログラムがストアされた不図示のＲＯＭ（筐体２内に設置されている）の内容を必要によって書換える為の窓部（メンテナンス用の窓部）２ａが開設され、この窓部２ａには、金属製（板金製）の蓋板１８が取外自在に装着されている。この蓋板１８の下辺部には、窓部２ａの開口縁部に係止する２個の係止片１８ａ、１８ｂが延設され、上辺部にはプラスねじ（不図示）にて筐体２に止着させるためのねじ孔１８ｃが穿孔されている。
【００２１】
また、上記係止片１８ａ、１８ｂの内の一方の係止片１８ａの先端には、更にマイナスドライバーの先端作用部と同等な機能を奏する作用片１８ｄが延出されている。このような蓋板１８は、上記窓部２ａの下辺開口縁部の内側に係止片１８ａ、１８ｂを係止させ、ねじ孔１８ｃを介し筐体２にねじ止着することにより、窓部２ａに簡易に装着される。そして、上記のようにロック部材１７のロック・アンロック操作の際に、マイナスドライバーを持ち合わせていない場合、この蓋板１８を取外し、作用片１８ｄをロック部材１７の前記凹溝１７ｈにあてがい、蓋板１８を把持してドライバーと同様の捻回操作をすれば、回動軸部１７ａの軸回転をして回動アーム１７ｂの起立・倒伏がなされ、フルレートキャリッジ９及びハーフレートキャリッジ１０のロック・アンロック固定が上記と同要領で簡易になされる。
【００２２】
蓋板１８は、通常は窓部２ａに装着されているから、係止片１８ａ、１８ｂ及び作用片１８ｄは窓部２ａの内側に隠蔽されている。従って、一般ユーザーにはこの作用片１８ｄは視認され難く、また、ＲＯＭの書換え作業も一般ユーザーによってなされるものではないから、蓋板１８を取外す必要もなく、一般ユーザーをして蓋板１８が上記ロック・アンロック操作に用いられる懸念がないのである。
【００２３】
尚、上記では、走査キャリッジがフルレートキャリッジ９及びハーフレートキャリッジ１０からなる例について述べたが、１つのキャリッジ上に光源、複数のミラー、集光レンズユニット及びＣＣＤ（受光センサ）を一括搭載して、これらが一体でプラテンガラスの下面に沿って往復動するものであってもよい。また、前記調整部材が画像読取走査装置８におけるフルレートキャリッジ９及びハーフレートキャリッジ１０を、所定位置に各々ロックさせるためのロック部材１７である例について述べたが、一般ユーザーが触れることが好ましくないような初期設定用等の各種調整部材を備えた事務機器においても、本発明が適用され得ることは言うまでもない。更に、前記蓋板１８は、ＲＯＭ書換え用窓部２ａに装着されるものに限らず、一般ユーザーが関与する必要がないような各種メンテナンス用の蓋板が望ましく対象とされることも言うまでもない。
【００２４】
また、調整部材（ロック部材）１７が、マイナスドライバーの捻回操作により回動し得るものとして述べたが、工具の機能は、汎用のプラスドライバー以外のものであればよく、例えば工具の先端作用部が複数の爪からなり、調整部材１７の被作用部にはこの爪先を受容する小穴を形成したもの、或いは調整部材１７をスライドによって機能位置と退避位置間に移動可能とするものであってもよい。従って、作用片１８ｄは、この工具の機能に対応するものとしておけばよい。
【図面の簡単な説明】
【００２５】
【図１】ファクシミリと複写の両機能を備えた所謂複合機（プリンタ機能も含む）タイプの画像形成装置を斜め後方から見た概略的斜視図及び要部の拡大図である。
【図２】ＦＢＳの縦断面図及び要部の拡大図である。
【図３】ロック部材の動作機構を説明する図である。
【符号の説明】
【００２６】
１      事務機器
２      機器筐体
２ａ    窓部
８      画像読取走査装置
９      フルレートキャリッジ（走査キャリッジ）
１０    ハーフレートキャリッジ（走査キャリッジ）
１７    ロック部材（調整部材）
１８    蓋板
１８ａ  係止片
１８ｄ  作用片
【図１】
2005265948.tif 000003
【図２】
2005265948.tif 000004
【図３】
2005265948.tif 000005